【手続補正書】
【提出日】平成27年7月8日(2015.7.8)
【手続補正１】
【補正対象書類名】特許請求の範囲
【補正対象項目名】全文
【補正方法】変更
【補正の内容】
【特許請求の範囲】
【請求項１】
印刷域においてプロセス方向に配置された第１印字ヘッドおよび第２印字ヘッドであって、前記第２印字ヘッドは前記印刷域において前記第１印字ヘッドから前記プロセス方向に位置付けられている、前記第１印字ヘッドおよび前記第２印字ヘッドと、
前記第１印字ヘッドおよび前記第２印字ヘッドを通ってプロセス方向に少なくとも１つの媒体シートを運搬するように構成されたシート運搬装置と、
前記シート運搬装置に作動的に接続され、前記印刷域上で前記シート運搬装置を所定の速度で移動させるように構成された作動装置と、
前記シート運搬装置上の少なくとも１つの媒体シートに応じて信号を発生させるように構成された媒体センサであって、前記媒体シートは前記媒体センサを通ってプロセス方向に移動する、前記媒体センサと、
前記印刷域における前記シート運搬装置を引き付けるように位置合わせされた部材であって、少なくとも１つの媒体シートに力を加えて、前記媒体シートを前記シート運搬装置に寄せ、前記シート運搬装置を前記部材に寄せるように構成され、前記シート運搬装置は、前記部材の第１端部を通って、および、印刷域上で、少なくとも１つの媒体シートを運搬するように構成されている、前記部材と、
前記複数の印字ヘッド、前記作動装置、および前記媒体センサに作動的に接続されている制御装置とを含み、
前記制御装置は、
前記作動装置を操作して、前記シート運搬装置を前記プロセス方向に前記印刷域上で前記所定の速度で移動させ、
前記媒体センサからの前記信号と前記シート運搬装置の前記所定の速度とにしたがって、第１媒体シートが前記印刷領域において前記プロセス方向に移動する際の前記印刷領域における前記シート運搬装置上の前記第１媒体シートの位置を確認し、
前記第１媒体シートの所定の場所が前記第１印字ヘッドに対応する前記印刷領域における第１位置である場合、前記部材によって前記シート運搬装置に加えられる抗力にしたがって前記シート運搬装置の第１変位を確認し、
前記第１印字ヘッドを操作して、前記所定の場所において前記第１媒体シートにインクを吐出し、
前記第１媒体シートの前記所定の場所が前記第２印字ヘッドに対応する前記印刷領域における第２位置である場合、前記部材によって前記シート運搬装置に加えられる抗力にしたがって前記シート運搬装置の第２変位を確認し、
前記シート運搬装置の前記所定の速度と、前記シート運搬装置の前記第１変位と前記第２変位との差とにしたがって、前記第２印字ヘッドを操作するタイミングを調整し、
前記調整されたタイミングにしたがって、前記第１媒体シートの前記所定の場所へインクを吐出するように前記第２印字ヘッドを操作するように構成されている、インクジェット印刷システム。
【請求項２】
前記制御装置に作動的に接続されているメモリをさらに含み、前記制御装置はさらに、
前記作動装置を操作して、前記シート運搬装置を前記プロセス方向に前記印刷域上で前記所定の速度で移動させ、
前記部材によって前記シート運搬装置の方に寄せられるいかなる媒体シートもない場合に、前記印刷域において前記シート運搬装置に加えられる第１抗力を確認し、
前記シート運搬装置が１つの媒体シートを運搬するとき、前記印刷域において前記シート運搬装置に加えられる第２抗力を確認し、前記媒体シートの全体は前記部材によってシート運搬装置の方に寄せられるものであり、
前記メモリに前記第１抗力に応じた値を記憶し、
前記メモリに前記第２抗力に応じた値を記憶するように構成されている、請求項１に記載のシステム。
【請求項３】
前記制御装置は、前記媒体シートの長さにしたがって、前記メモリの前記第２抗力に応じた前記値を記憶する、請求項２に記載のシステム。
【請求項４】
前記制御装置はさらに、
前記シート運搬装置が印刷域上で前記媒体シートの少なくとも一部分と他の媒体シートとを運搬するときに、前記印刷域の前記シート運搬装置に加えられる第３抗力を確認し、前記媒体シートの前記少なくとも一部分および前記他の媒体シートは、前記部材によって前記シート運搬装置に寄せられ、
前記印刷域の媒体シートの数にしたがって、前記メモリに前記第３抗力に応じた値を記憶するように構成されている、請求項２に記載のシステム。
【請求項５】
さらに、
電気増幅器を含み、前記増幅器は、前記作動装置に電流を供給するように構成されており、前記制御装置は、前記電気増幅器に作動的に接続されており、前記電気増幅器によって前記作動装置に供給される前記電流を調節するための制御信号を発生させるように構成されており、前記制御装置は、
前記部材によって前記シート運搬装置の方に寄せられるいかなる媒体もない場合に前記制御信号を測定し、
前記制御信号に応じて前記作動装置の第１トルクを確認し、
前記第１トルクにしたがって、前記第１抗力を確認し、
前記媒体シートの全体が前記部材によって前記シート運搬装置の方に寄せられるときに、第２制御信号を測定し、
前記第２制御信号に応じて前記作動装置の第２トルクを確認し、
前記第２トルクにしたがって前記第２抗力を確認するように構成されている、請求項２に記載のシステム。
【請求項６】
さらに、
前記印刷域に位置合わせされ、前記印刷域の前記光学センサを通過する媒体シート上のインクから反射される光に応じて、信号を発生させるように構成された、光学センサを含み、前記制御装置は、前記光学センサに作動的に接続されており、
前記第１印字ヘッドを操作して、印刷域上を移動する媒体シートの所定の場所にインクを吐出し、
前記第２印字ヘッドを操作して、前記媒体シートの前記所定の場所にインクを吐出し、
前記媒体シート上の前記第１印字ヘッドからの前記インクの場所および前記第２印字ヘッドからの前記インクの場所に応じて、前記光学センサから信号を受信し、
前記信号にしたがって、前記第１印字ヘッドから吐出された前記インクと前記第２印字ヘッドから吐出された前記インクとの間の、前記第１媒体シートにおける前記インクの位置合わせの差を測定し、
前記位置合わせの差にしたがって前記シート運搬装置の変位を確認し、
前記シート運搬装置の前記変位および複数のシート運搬装置パラメータにしたがって、前記第２抗力を確認するように構成されている、請求項２に記載のシステム。
【請求項７】
前記制御装置に作動的に接続されているメモリをさらに含み、前記制御装置は、
前記メモリから第１抗力に対応する値を取得し、前記第１抗力は、前記第１媒体シートの全体が前記部材によって前記シート運搬装置の方に寄せられている場合に前記シート運搬装置に加えられる全抗力であって、
前記第１媒体シートの前記所定の場所が前記印刷域における前記第１位置である場合、前記部材の前記第１端部と前記第１媒体シートの前記所定の場所との間の前記第１媒体シートの割合を確認し、
前記割合と前記第１抗力に対応する前記値とにしたがって、前記シート運搬装置に加えられる比例抗力を確認し、
前記第１媒体シートの前記所定の場所が前記印刷域における前記第１位置である場合、複数のシート運搬装置パラメータと前記比例抗力とにしたがって、前記シート運搬装置の第３変位を確認し、
前記メモリから第２抗力に対応する値を取得し、前記第２抗力は、前記部材によって前記シート運搬装置の方に寄せられるいかなる媒体もなく、前記シート運搬装置が前記印刷域を移動する場合に前記シート運搬装置に加えられる全抗力であって、
前記部材の前記第１端部と前記印刷域における前記第１位置との間の前記シート運搬装置の割合を確認し、
前記シート運搬装置の前記割合と前記第２抗力に対応する前記値とにしたがって、前記印刷域における前記第１位置で前記シート運搬装置に加えられる基準抗力を確認し、
複数のシート運搬装置パラメータと前記シート運搬装置に加えられる前記基準抗力とにしたがって、前記シート運搬装置の第４変位を確認し、
前記シート運搬装置の前記第３変位と前記第４変位との差を前記シート運搬装置の前記第１変位として確認するように構成されている、
請求項１に記載のシステム。
【請求項８】
前記制御装置は、
前記第１媒体シートの前記所定の場所が前記印刷域における前記第２位置である場合、前記部材の前記第１端部と前記媒体シートの前記所定の場所との間の前記第１媒体シートの第２割合を確認し、
前記第１媒体シートの第２割合と、前記第１抗力に対応する前記値とにしたがって、前記シート運搬装置に加えられる第２比例抗力を確認し、
複数のシート運搬装置パラメータと前記第２比例抗力とにしたがって、前記シート運搬装置の第５変位を確認し、
前記部材の前記第１端部と前記印刷域における前記第２位置との間の前記シート運搬装置の第２割合を確認し、
前記シート運搬装置の前記第２割合と、前記第２抗力に対応する前記値とにしたがって、前記印刷域における前記第２位置で前記シート運搬装置に加えられる第２基準抗力を確認し、
複数のシート運搬装置パラメータと前記第２基準抗力とにしたがって、前記シート運搬装置の第６変位を確認し、
前記シート運搬装置の前記第２変位を前記シート運搬装置の前記第５変位と前記第６変位の差として確認するように構成されている、
請求項７に記載のシステム。
【請求項９】
前記複数のシート運搬装置パラメータは、前記シート運搬装置の弾性係数と前記部材を引き付ける前記シート運搬装置の表面積とを含む、
請求項８に記載のシステム。
【請求項１０】
前記制御装置はさらに、
前記メモリから第３抗力に対応する値を取得し、前記第３抗力は、少なくとも前記第１媒体シートの一部分と第２媒体シートの一部分とが前記部材によって前記シート運搬装置の方に寄せられている場合に前記シート運搬装置に加えられる全抗力であって、前記第１媒体シートは、前記第２媒体シートから前記プロセス方向に位置付けられ、
前記第１媒体シートの前記所定の場所が前記印刷域における前記第１位置である場合、前記部材の前記第１端部と前記第１媒体シートとの間の前記第２媒体の割合を確認し、
前記第１媒体シートの割合と、前記第２媒体シートの割合と、前記第３抗力に対応する前記値とにしたがって、前記シート運搬装置に加えられる第３比例抗力を確認し、
前記複数のシート運搬装置パラメータと前記第３比例抗力とにしたがって、前記シート運搬装置の前記第３変位を確認し、
前記第１媒体シートの前記所定の場所が前記印刷域における前記第２位置である場合、前記部材の前記第１端部と前記第１媒体シートとの間の前記第２媒体の第２割合を確認し、
前記第１媒体シートの前記割合と、前記第２媒体シートの前記第２割合と、前記第３抗力に対応する前記値とにしたがって、前記シート運搬装置に加えられる第４比例抗力を確認し、
前記第４比例抗力と前記複数のシート運搬装置パラメータとにしたがって、前記シート運搬装置の前記第５変位を確認するように構成されている、
請求項８に記載のシステム。
【手続補正２】
【補正対象書類名】明細書
【補正対象項目名】発明の名称
【補正方法】変更
【補正の内容】
【発明の名称】インクジェット印刷システム
【手続補正３】
【補正対象書類名】明細書
【補正対象項目名】０００６
【補正方法】変更
【補正の内容】
【０００６】
一実施形態では、インクジェット印刷システムは、印刷域においてプロセス方向に配置された第１印字ヘッドおよび第２印字ヘッドであって、上記第２印字ヘッドは上記印刷域において上記第１印字ヘッドから上記プロセス方向に位置付けられている、上記第１印字ヘッドおよび上記第２印字ヘッドと、上記第１印字ヘッドおよび上記第２印字ヘッドを通ってプロセス方向に少なくとも１つの媒体シートを運搬するように構成されたシート運搬装置と、上記シート運搬装置に作動的に接続され、上記印刷域上で上記シート運搬装置を所定の速度で移動させるように構成された作動装置と、上記シート運搬装置上の少なくとも１つの媒体シートに応じて信号を発生させるように構成された媒体センサであって、上記媒体シートは上記媒体センサを通ってプロセス方向に移動する、上記媒体センサと、上記印刷域における上記シート運搬装置を引き付けるように位置合わせされた部材であって、少なくとも１つの媒体シートに力を加えて、上記媒体シートを上記シート運搬装置に寄せ、上記シート運搬装置を上記部材に寄せるように構成され、上記シート運搬装置は、上記部材の第１端部を通って、および、印刷域上で、少なくとも１つの媒体シートを運搬するように構成されている、上記部材と、上記複数の印字ヘッド、上記作動装置、および上記媒体センサに作動的に接続されている制御装置とを含む。上記制御装置は、上記作動装置を操作して上記シート運搬装置を上記プロセス方向に上記印刷域上で上記所定の速度で移動させ、上記部材によってシート運搬装置の方に寄せられるいかなる媒体シートもない場合に、前記媒体センサからの前記信号と前記シート運搬装置の前記所定の速度とにしたがって、第１媒体シートが前記印刷領域において前記プロセス方向に移動する際の前記印刷領域における前記シート運搬装置上の前記第１媒体シートの位置を確認し、前記第１媒体シートの所定の場所が前記第１印字ヘッドに対応する前記印刷領域における第１位置である場合、前記部材によって前記シート運搬装置に加えられる抗力にしたがって前記シート運搬装置の第１変位を確認し、前記第１印字ヘッドを操作して、前記所定の場所において前記第１媒体シートにインクを吐出し、前記第１媒体シートの前記所定の場所が前記第２印字ヘッドに対応する前記印刷領域における第２位置である場合、前記部材によって前記シート運搬装置に加えられる抗力にしたがって前記シート運搬装置の第２変位を確認し、前記シート運搬装置の前記所定の速度と、前記シート運搬装置の前記第１変位と前記第２変位との差とにしたがって、前記第２印字ヘッドを操作するタイミングを調整し、前記調整されたタイミングにしたがって、前記第１媒体シートの前記所定の場所へインクを吐出するように前記第２印字ヘッドを操作するように構成されている。